(57)【要約】【課題】折戸を閉じたとき、折戸を構成する２枚の扉部材がまっすぐに並んだ状態を保つことができ、かつ折戸を開くときに、折戸の動きが妨害されることなく、十分な開度を得ることができる折戸の取付け構造を得る。【解決手段】折戸の取付け構造１０は、一方の扉部材２２および他方の扉部材２４を蝶番２６で連結した折戸２０を含み、折戸２０を上レール１２および下レール１４に装着する。上レール１２にスライド移動可能に、扉部材２２，２４がまっすぐに並んで閉じた状態を保つための固定具５０を取り付ける。一方の扉部材２２と固定具５０とを連結部材６４で連結する。連結部材６４の両側における連結部の間の距離ｌ1が、連結部材６４が取り付けられた扉部材２２の端部における上レール１２に支持された部分と連結部材６４の連結部との間の距離ｌ2と等しくなるように設定する。【選択図】図９
2011089303.tif 000002
【特許請求の範囲】
【請求項１】
２枚の扉部材が蝶番で連結されて折り曲げ可能に形成された折戸、
２枚の前記扉部材が連結された前記折戸の両端側において、２枚の前記扉部材の少なくとも一方の端部をスライド可能に支持するためのレール、
前記レールにスライド可能に取り付けられ、２枚の前記扉部材がまっすぐに並んだ状態で保持するための固定具、および
２枚の前記扉部材のいずれかと前記固定具とを連結する連結部材を含み、
前記連結部材の両側が２枚の前記扉部材のいずれかとの連結部および前記固定具との連結部において回動可能に支持され、
前記連結部材の両側における連結部の間の距離が、前記連結部材が取り付けられた前記扉部材の端部における前記レールに支持された部分と前記連結部材が連結された部分との間の距離と等しくなるように設定された、折戸の取付け構造。
【請求項２】
２枚の前記扉部材がまっすぐに並んだときに前記固定具に対応する位置において、前記固定具に固定される被固定具が前記扉部材に取り付けられる、請求項１に記載の折戸の取付け構造。
【請求項３】
前記固定具はマグネットラッチまたはマグネットキャッチであり、前記被固定具は前記マグネットラッチまたは前記マグネットキャッチに吸着される磁性体である、請求項２に記載の折戸の取付け構造。
【請求項４】
前記被固定具はマグネットラッチまたはマグネットキャッチであり、前記固定具は前記マグネットラッチまたは前記マグネットキャッチに吸着される磁性体である、請求項２に記載の折戸の取付け構造。
【請求項５】
２枚の前記扉部材の少なくとも一方に、手をかけるための凹部が形成された、請求項１ないし請求項４のいずれかに記載の折戸の取付け構造。
【発明の詳細な説明】
【技術分野】
【０００１】
この発明は、折戸の取り付け構造に関し、特にたとえば、クローゼットなどの間仕切りなどとして用いられる折戸の取り付け構造に関する。
【背景技術】
【０００２】
図２０は、従来の折戸の取付け構造の一例を示す図解図である。この折戸の取付け構造においては、枠体１が含まれる。枠体１は、上枠１Ａ、下枠１Ｂおよび左右一対の縦枠１Ｃ，１Ｄで構成される。上枠１Ａの下面および下枠１Ｂの上面には、それぞれガイドレール３が取り付けられる。これらの上下のガイドレール３の間に、折戸２が装着される。
【０００３】
折戸２は、２枚の戸板４を含み、各戸板４は、複数の蝶番によって折り畳み可能に連結されている。一方の戸板４は吊元側として用いられ、他方の戸板４は戸先側として用いられる。吊元側戸板４および戸先側戸板４の端部の上下には、ピボット軸６が取り付けられる。吊元側戸板４のピボット軸６は、上下のガイドレール３に取り付けられた軸受によって、回動可能に支持される。また、戸先側戸板４のピボット軸６は、ガイドレール３に沿ってスライド可能に支持されるとともに、回動可能に支持される。折戸２を開くときには、二点鎖線で示すように、２枚の戸板４がＶ字状に折り畳まれる（特許文献１参照）。
【０００４】
このような折戸の取付け構造において、折戸２を閉じたときの外観としては、２枚の戸板４が蝶番部分において折れ曲がらず、まっすぐに並んで配置されることが好ましい。そのために、２枚の戸板４がまっすぐに並んだ状態で固定するための固定具を用いることが考えられる。このような例として、たとえば図２１および図２２に示すように、上側のガイドレール３に固定具７を取り付けることが考えられる。固定具７は、ガイドレール３の側面に固定されて、ガイドレール３の下方に延びるように形成された金具８に取り付けられ、折戸２が閉じたときに、一方の戸板４に対向するように配置される。
【０００５】
固定具７としては、たとえば、マグネットラッチやマグネットキャッチなどを用いることができる。これらの固定具７が用いられる場合、戸板４の固定具７に対向する部分には、被固定具９として、鉄などで形成された金属板が取り付けられる。したがって、折戸２が閉じたとき、固定具７としてのマグネットラッチやマグネットキャッチに、被固定具９としての金属板が吸着される。それにより、２枚の戸板４がまっすぐに並んだ状態で、折戸２を閉じることができる。
【先行技術文献】
【特許文献】
【０００６】
【特許文献１】特開２００５−３１４９５１号公報
【発明の概要】
【発明が解決しようとする課題】
【０００７】
このような折戸の取付け構造においては、折戸が閉じたとき、２枚の戸板がまっすぐに並んだ状態を保つように、固定具によって戸板が固定されるため、戸板の近傍に固定具が配置される。そのため、図２３に示すように、折戸を開くとき、２枚の戸板が折れ曲がった状態となり、戸先側戸板の先端部が固定具に当たって、吊元側の戸板４の先端部に戸先側の戸板４の先端部を近づけることができず、それ以上折戸を開くことができなくなる。
【０００８】
それゆえに、この発明の主たる目的は、折戸を閉じたとき、折戸を構成する２枚の扉部材がまっすぐに並んだ状態を保つことができ、かつ折戸を開くときに、折戸の動きが妨害されることなく、十分な開度を得ることができる折戸の取付け構造を提供することである。
【課題を解決するための手段】
【０００９】
この発明は、２枚の扉部材が蝶番で連結されて折り曲げ可能に形成された折戸と、２枚の扉部材が連結された折戸の両端側において、２枚の扉部材の少なくとも一方の端部をスライド可能に支持するためのレールと、レールにスライド可能に取り付けられ、２枚の前記扉部材がまっすぐに並んだ状態で保持するための固定具と、２枚の扉部材のいずれかと固定具とを連結する連結部材とを含み、連結部材の両側が２枚の扉部材のいずれかとの連結部および固定具との連結部において回動可能に支持され、連結部材の両側における連結部の間の距離が、連結部材が取り付けられた扉部材の端部におけるレールに支持された部分と連結部材が連結された部分との間の距離と等しくなるように設定された、折戸の取付け構造である。
折り曲げ可能に形成された折戸を構成する扉部材と、レールにスライド可能に取り付けられた固定具とが連結部材で連結され、連結部材の両側における連結部の間の距離と、連結部材が取り付けられた扉部材の端部におけるレールに支持された部分と連結部材が連結された部分との間の距離とが等しくなるように設定されることにより、折戸が開閉するのに対応して、固定部材がレールに沿ってスライド移動する。つまり、固定具は一定の位置に存在せず、折戸の開閉にしたがって移動するため、扉部材の先端部が固定具に当たらず、折戸の開閉範囲が限定されない。
【００１０】
このような折戸の取付け構造において、２枚の扉部材がまっすぐに並んだときに固定具に対応する位置において、固定具に固定される被固定具が扉部材に取り付けられてもよい。
固定具と被固定具とが一対となって扉部材を固定する場合には、扉部材に被固定具が取り付けられる。このとき、被固定具は、２枚の扉部材がまっすぐに並んだときに固定具に対応する位置に取り付けられる。
【００１１】
また、固定具としてはマグネットラッチまたはマグネットキャッチを用いることができ、この場合、被固定具はマグネットラッチまたはマグネットキャッチに吸着される磁性体である。
この折戸の取付け構造に用いられる固定具の例としては、たとえばマグネットラッチやマグネットキャッチなどを用いることができ、この場合、被固定具としては、マグネットラッチやマグネットキャッチに吸着される鉄板などの磁性体が用いられる。
【００１２】
さらに、被固定具としてマグネットラッチまたはマグネットキャッチを用いることができ、この場合、固定具として、マグネットラッチまたはマグネットキャッチに吸着される磁性体が用いられる。
マグネットラッチやマグネットキャッチは扉部材側に取り付けられてもよく、この場合、レールにスライド可能に磁性体が取り付けられる。
【００１３】
また、２枚の扉部材の少なくとも一方に、手をかけるための凹部が形成されてもよい。
扉部材を開くために、扉部材を引くための取っ手の代わりに、手をかけるための扉部材に凹部を形成してもよい。この場合、扉部材に突起部を形成する必要がなく、平坦な構造の折戸を得ることができる。
【発明の効果】
【００１４】
この発明によれば、折戸の開閉にともなって固定具がレールに沿ってスライドするため、扉部材の先端部が固定具に当たることを防止することができ、折戸を開いたとき、十分な開度を得ることができる。しかも、折戸を閉じたときには、固定具によって２枚の扉部材がまっすぐに並んで配置された状態で固定されるため、きれいな外観を保つことができる。
【００１５】
この発明の上述の目的，その他の目的，特徴および利点は、図面を参照して行う以下の発明を実施するための最良の形態の説明から一層明らかとなろう。
【図面の簡単な説明】
【００１６】
【図１】この発明の折戸の取付け構造の一例を示す斜視図である。
【図２】図１の折戸の取付け構造における上レールとして用いられるレールの一例を示す断面図解図である。
【図３】図１の折戸の取付け構造における下レールとして用いられるレールの一例を示す断面図解図である。
【図４】図１の折戸の取付け構造に用いられるスライド金具の一例を示す分解図解図である。
【図５】図１の折戸の取付け構造に用いられる案内ランナーの一例を示す図解図である。
【図６】図１の折戸の取付け構造に用いられる固定具とスライド部材の一例を示す斜視図である。
【図７】図６に示す固定具とスライド部材の平面図である。
【図８】図６に示す固定具とスライド部材を上レールに取り付けた状態を示す図解図である。
【図９】折戸が開くときの状態を示す図解図である。
【図１０】折戸が閉じた状態を示す図解図である。
【図１１】凹部が形成された折戸の一例を示す斜視図である。
【図１２】図１１に示す折戸の凹部の近傍を示す図解図である。
【図１３】この発明が適用される折戸の取付け構造の他の例に用いられる上部ピボットの一例を示す図解図である。
【図１４】この発明が適用される折戸の取付け構造の他の例に用いられる下部ピボットの一例を示す図解図である。
【図１５】この発明が適用される折戸の取付け構造の他の例に用いられるピボット受け金具の一例を示す図解図である。
【図１６】この発明が適用される折戸の取付け構造のさらに他の例に用いられるピボット受け金具の一例を示す図解図である。
【図１７】（Ａ）（Ｂ）は、この発明が適用される折戸の取付け構造に用いられるスライド部材の他の例を示す図解図である。
【図１８】図１７に示すスライド部材を用いるためのレールと、このレールにスライド部材を取り付けた状態を示す図解図である。
【図１９】（Ａ）（Ｂ）（Ｃ）は、この発明が適用される折戸の取付け構造に用いられるスライド部材のさらに他の例を示す図解図である。
【図２０】従来の折戸の取付け構造の一例を示す図解図である。
【図２１】折戸が閉じた状態を保つための従来の固定具の取付け状態を示す平面図である。
【図２２】図２１に示す固定具の取付け状態を示す図解図である。
【図２３】従来の折戸が開いたときの状態を示す図解図である。
【発明を実施するための形態】
【００１７】
図１は、この発明の折戸の取付け構造の一例を示す図解図である。この折戸の取付け構造１０は、たとえば、クローゼットの間仕切り用などとして利用される。折戸の取付け構造１０は、長尺状の上レール１２および下レール１４を含む。上レール１２としては、図２に示すように、Ｃ字状の端部が内側に向かって折れ曲がった断面形状を有するレール１６が用いられ、断面Ｃ字状の開口部側が下面となるようにして、天井などに取り付けられる。また、下レール１４としては、たとえば図３に示すような断面形状を有するレール１８が用いられる。このレール１８は、断面コ字状の部分１８ａと、その端部から外側に開くように折れ曲がった鍔状部１８ｂと、断面コ字状の部分１８ａの対向壁から内側に突出する突起部１８ｃとを含む。そして、図３に示すような断面形状を有するレール１８が、その開口部側が上面となるようにして床などに取り付けられ、下レール１４として用いられる。
【００１８】
上レール１２と下レール１４との間には、折戸２０が移動可能に取り付けられる。折戸２０は、同じ大きさの正面視長方形の２枚の扉部材２２，２４を含み、扉部材２２と扉部材２４とは、隣接する幅方向の一端において複数の蝶番２６で連結される。したがって、折戸２０は、２枚の扉部材２２，２４が、Ｖ字状に折り曲げ可能に連結されている。
【００１９】
折戸２０の両端側上部、つまり蝶番２６が取り付けられた隣接側端部と反対側の扉部材２２，２４の戸先側端部の上部には、スライド金具２８が取り付けられる。スライド金具２８は、図４に示すように、扉部材２２，２４の戸先側端部の木口部に取り付けられるカップ部材３０と、カップ部材３０に嵌め込まれて上レール１２に扉部材２２，２４を吊り下げる吊下げ部材３２とを含む。カップ部材３０は、底面がアーチ状に形成された箱形に形成され、その底面に隣接して開放部３０ａが形成される。開放部３０ａに隣接するカップ部材３０の上面には、開放部３０ａからその対向面に向かって長く延びる切込み部３０ｂが形成される。そして、カップ部材３０の開放部３０ａに近い箇所において、切込み部３０ｂからカップ部材３０の側面方向に向かって、切欠き部３０ｃが形成される。さらに、開放部３０ａの中間部において、カップ部材３０の側面に凹部３０ｄが形成される。
【００２０】
また、吊下げ部材３２は、カップ部材３０に保持されるホルダー部３４と、上レール１２に装着されてスライドする吊り車部３６とで構成される。ホルダー部３４は、カップ部材３０に嵌め込まれる嵌め込み部３４ａと、嵌め込み部３４ａに隣接して形成される表面部３４ｂとを含む。嵌め込み部３４ａの側面には、カップ部材３０の凹部３０ｄに嵌合する凸部３４ｃが形成される。また、嵌め込み部３４ａの上面には、カップ部材３０の切欠き部３０ｃに嵌合する突起部３４ｄが形成される。さらに、吊り車部３６は、基部３６ａを含み、基部３６ａの両側に４つのホイール３６ｂが回転可能に取り付けられる。また、基部３６ａから回動可能に取り付けられた軸部３６ｃによって、ホルダー部３４が吊り車部３６に取り付けられる。
【００２１】
カップ部材３０は、扉部材２２，２４の戸先側端部の木口部上端に形成された刳抜き部３８に嵌め込まれ、木ネジなどで扉部材２２，２４に固定される。そして、吊下げ部材３２のホルダー部３４が、開放部３０ａからカップ部材３０内部に嵌め込まれる。このとき、吊り車部３６とホルダー部３４との間の軸部３６ｃは、カップ部材３０の切込み部３０ｂに嵌り込む。そして、ホルダー部３４の突起部３４ｄがカップ部材３０の凹部３０ｄに嵌合され、ホルダー部３４の凸部３４ｃがカップ部材３０の切欠き部３０ｃに嵌合されて、ホルダー部３４がカップ部材３０に固定される。また、吊り車部３６は、上レール１２の内側に嵌め込まれ、上レール１２の内部でスライド移動可能に装着される。この吊下げ部材３２によって、扉部材２２，２４が上レール１２に吊り下げられる。
【００２２】
吊下げ部材３２取付け部の反対側、つまり扉部材２２，２４の下端部に案内ランナー４０が取り付けられる。案内ランナー４０は、図５に示すように、有底筒状の筒状部４２を含む。筒状部４２の底部の反対側に、鍔状部４４が形成される。鍔状部４４の中央部には孔が形成され、この孔を通して、筒状部４２から棒状体４６が突き出している。棒状体４６の先端側には、棒状体４６の直径より大きい直径を有する大径部４８が形成される。筒状部４２内には、たとえばスプリングが内蔵され、このスプリングによって、棒状体４６が外側に向かって付勢されている。扉部材２２，２４には、筒状部４２の外径に対応する直径の孔が形成され、この孔に筒状部４２が鍔状部４４部分まで埋め込まれる。
【００２３】
扉部材２０に取り付けられた案内ランナー４０の大径部４８は、下レール１４として用いられるレール１８の突起部１８ｃの間の開口部からその内部に入り込むように配置される。このとき、棒状体４６は、スプリングによって外側に向かって付勢されているため、鍔状部４４と下レール１４の内部との間隔に合わせて、棒状体４６の突き出し量が自動的に調整される。したがって、扉部材２２，２４の幅方向の端部は、上レール１２および下レール１４にスライド可能に支持される。さらに、扉部材２２，２４の幅方向の端部は、吊下げ部材３２の軸部３６ｃと案内ランナー４０の棒状体４６を中心にして回動可能に支持される。
【００２４】
一方の扉部材２２のスライド金具２８取り付け部と、他方の扉部材２４のスライド金具２８取付け部との間において、上レール１２に固定具５０が取り付けられる。固定具５０は、たとえば、上レール１２に沿ってスライド移動可能なスライド部材５２に取り付けられる。スライド部材５２は、図６および図７に示すように、基部５４を含む。基部５４の両側には、たとえば、４つのホイール５６が回転可能に取り付けられる。したがって、ホイール５６が回転することにより、基部５４はスライド移動することができる。
【００２５】
さらに、基部５４には、４つのホイール５６の接地面に対して直交する向きに、軸部５８が形成される。軸部５８は、基部５４に対して回動可能に形成される。軸部５８には、たとえば板部材６０が取り付けられる。板部材６０は、たとえば、軸部５８に直交する向きに取り付けられる。板部材６０の上面には、たとえば２つの押えローラ６２が回動可能に取り付けられる。押えローラ６２は、スライド部材５２を上レール１２内に装着したとき、上レール１２の外側面に当たるようになっている。それにより、板部材６０は、常に上レール１２の側面に対して直交する向きに保持される。
【００２６】
板部材６０の下面には、固定具５０が取り付けられる。固定具５０としては、たとえばマグネットラッチやマグネットキャッチなどを用いることができる。マグネットラッチやマグネットキャッチは、一般的に、開閉する扉に取り付けられた鉄板などの磁性体で形成された被固定具を吸着して扉が閉じた状態を保持するものである。ここで、マグネットキャッチは、閉じられた扉を引っぱることにより、被固定具を引き離して、吸着を解除するものである。また、マグネットラッチは、被固定具を吸着保持する部分が突出できるようにしたものであり、閉じられた扉を押すことにより、マグネットラッチの吸着保持する部分が突出して、被固定具を押し返すことにより、吸着を解除するものである。
【００２７】
スライド部材５２は、図８に示すように、上レール１２内に装着され、断面Ｃ字状の開口部の両側部分にホイール５６が載置されて、上レール１２内をスライド移動が可能な状態となる。スライド部材５２の軸部５８は、上レール１２の断面Ｃ字状の開口部から下方に突出し、板部材６０が軸部５８に直交するように配置される。ここで、板部材６０は、折戸２０が折れ曲がって突出する向きとは反対側に突き出すように配置される。このとき、押えローラ６２が上レール１２の外側面に当たることにより、板部材６０は、上レール１２の外側面に対して直交する向きに配置される。したがって、板部材６０に取り付けられた固定具５０についても、上レール１２に対して常に同じ向きに配置することができ、上レール１２の下方において、扉部材２２または扉部材２４に向かって固定する面を配置することができる。
【００２８】
スライド部材５２は、図９に示すように、剛体で形成された連結部材６４を用いて、たとえば一方の扉部材２２に連結される。連結部材６４は、たとえば長尺の板状のような棒状に形成され、その一端側がスライド部材５２の軸部５８に回動可能に連結される。また、連結部材６４の他端側は、一方の扉部材２２の上端部に回動可能に連結される。ここで、連結部材６４の他端は、扉部材２２を支持する吊下げ部材３２の軸部３６ｃと蝶番２６取付部との間において、軸部３６ｃおよび蝶番２６取付部を除く部分に取り付けられる。このとき、連結部材６４の両端の連結部の間の距離ｌ1が、扉部材２２を支持する吊下げ部材３２の軸部３６ｃと連結部材６４の連結部との間の距離ｌ2と等しくなるように設定される。つまり、連結部材６４の両端の連結部と、吊下げ部材３２の軸部３６ｃとを結ぶ線が、二等辺三角形を構成するように設定される。
【００２９】
さらに、折戸１６を閉じた状態において、一方の扉部材２２の固定具５０に対応する位置に、被固定具６６が取り付けられる。固定具５０としてマグネットラッチやマグネットキャッチが用いられる場合、被固定具６６としては、たとえば鉄板などのマグネットに吸着される磁性体が用いられる。なお、固定具５０と被固定具６６とは、可逆的な関係にあり、扉部材１８に取り付けられる被固定具としてマグネットラッチやマグネットキャッチを用い、上レール１２にスライド可能に取り付けられる固定具５０として磁性体を用いることもできる。
【００３０】
この折戸の取付け構造１０が採用されることにより、折戸２０を閉じたときに、図１０に示すように、２枚の扉部材２２，２４は、まっすぐに並んだ状態に配置される。このとき、連結部材６４は、扉部材２２の上端部と重なり、扉部材２２に取り付けられた被固定具６６が上レール１２の側面に配置された固定具５０に固定される。それにより、２枚の扉部材２２，２４は、蝶番２６部分で折れ曲がったりせず、まっすぐに並んで配置された状態を保持することができる。
【００３１】
折戸１６を開くときには、図９に示すように、蝶番２６部分で折れ曲がり、固定具５０による固定が解除される。そして、扉部材２２，２４の吊下げ部材３２および案内ランナー４０が上レール１２および下レール１４に沿ってスライド移動し、それにともなって、扉部材２２，２４の戸先側端部が上レール１２および下レール１４に沿って移動して、扉部材２２，２４が互いに近づいていく。それに応じて、扉部材２２，２４間の折れ曲がり角度αが小さくなっていく。
【００３２】
２枚の扉部材２２，２４の戸先側端部が近づき、扉部材２２，２４間の折れ曲がり角度αが小さくなるにしたがって、一方の扉部材２２と上レール１２との間の角度βが大きくなる。それにより、連結部材６４を介してスライド部材５２が引っ張られ、スライド部材５２は一方の扉部材２２に取り付けられた吊下げ部材３２側に向かってスライド移動する。このとき、連結部材６４の両端における連結部と、吊下げ部材３２の軸部３６ｃとを結ぶ二等辺三角形は、２枚の扉部材２２，２４と上レール１２とで形成される二等辺三角形と相似形となる。
【００３３】
連結部材６４を用いてスライド部材５２をこのような位置に配置することにより、折戸２０の開閉にともなって、自動的に固定具５０の位置を変更することができる。つまり、折戸２０が開くにしたがって、固定具５０を一方の扉部材２２の吊下げ部材３２側に向かって移動させることができる。また、折戸２０が閉じるにしたがって、固定具５０を一方の扉部材２２の吊下げ部材３２側から離れるように移動させることができる。したがって、折戸２０が開いても、他方の扉部材２４の戸先側端部が固定具５０に当たったりせず、十分な開度を確保することができる。
【００３４】
なお、固定具５０あるいは被固定具６６としてマグネットラッチを用いた場合、閉じた状態の折戸２０の扉部材２２を押すことにより、マグネットラッチによって扉部材２２が押し返され、折戸２０が少し開いた状態、すなわち扉部材２２，２４が折れ曲がった状態になるため、折戸２０が開きやすくなる。この場合、閉じた状態の折戸２０を開くための取っ手などを扉部材２２，２４に形成する必要がなく、平滑な表面を有する折戸２０とすることができる。
【００３５】
また、固定具５０あるいは被固定具６６としてマグネットキャッチを用いた場合、扉部材２２，２４の繋ぎ合わせ部分の近傍において、折戸２０を引っぱる必要がある。この場合、たとえば、図１１および図１２に示すように、扉部材２２，２４の繋ぎ合わせ部分に凹部６８を形成し、扉部材２２，２４の表面から凹部６８の内側に向かって張り出す板状の張出部７０が形成されてもよい。このような凹部６８および張出部７０を形成することにより、凹部６８に手を入れ、張出部７０に手を掛けて折り戸２０を引っぱることができる。この場合、折戸２０に取っ手などの別部材を取り付ける必要がなく、突出部のないきれいな表面を有する折戸２０を得ることができる。このような凹部６８および張出部７０としては、図１１に示すように、扉部材２２，２４の一部に形成するだけでなく、扉部材２２，２４の上端から下端まで連続して形成されてもよい。また、扉部材２２，２４のいずれか一方に形成されてもよい。
【００３６】
なお、上述の例では、一方の扉部材２２と上レール１２にスライド可能に取り付けられた固定具５０とを連結部材６４で連結したが、他方の扉部材２４と固定具５０とを連結部材６４で連結してもよい。この場合、連結部材６４の両端側の連結部の間の長さと、他方の扉部材２４の吊下げ部材３２の軸部３６ｃと連結部材６４の扉部材２４への連結部との間の長さとが等しくなるように設定される。この場合、他方の扉部材２４に被固定具６６が取り付けられる。
【００３７】
このような折戸２０の取り付け構造１０では、折戸２０を閉じたときには、扉部材２４に取り付けられた被固定具６６が固定具５０に固定されて、２枚の扉部材２２，２４がまっすぐに並んで配置された状態で固定される。そして、折戸２０を開くときには、固定具５０が扉部材２４の吊下げ部材３２側に近づきながら、固定具５０と扉部材２４の全体と、一方の扉部材２２とが互いに近づくように、扉部材２２，２４がスライドして移動する。したがって、扉部材２２の先端部が固定具５０に当たらないようにして、折戸２０の開閉を行うことができる。
【００３８】
この発明の構成は、一方の扉部材２２を上レール１２および下レール１４の一定位置に回動可能に取り付けた場合にも適用することができる。この場合、一方の扉部材２２が吊元側として用いられ、他方の扉部材２４が戸先側として用いられる。このような構成においては、上レール１２および下レール１４として、図３に示すようなレール１８が用いられる。吊元側として用いられる一方の扉部材２２には、蝶番２６と反対側において、扉部材２２の長手方向の一端に上部ピボット７４が取り付けられる。上部ピボット７４は、図１３に示すように、たとえば有底筒状の筒状部７６を含み、底部の反対側に鍔状部７８が形成される。鍔状部７８の中央部には孔が形成され、この孔を通して、筒状部７６から外部に棒状体８０が突き出している。棒状体８０の先端側には、根元側より小径の小径部８０ａが形成される。筒状部７６内には、たとえばスプリングが内蔵され、このスプリングによって、棒状体８０が外側に向かって付勢されている。したがって、棒状体８０を筒状部７６に押し込むことにより、棒状体８０の露出部分の長さを調整することができる。扉部材２２には、筒状部７６の外径に対応する直径の孔が形成され、この孔に筒状部７６が鍔状部７８部分まで埋め込まれる。
【００３９】
また、吊元側の扉部材２２の上部ピボット７４取付け部の反対側には、下部ピボット８２が取り付けられる。下部ピボット８２は、図１４に示すように、たとえば有底筒状の筒状部８４を含み、底部の反対側に鍔状部８６が形成される。鍔状部８６の中央部には孔が形成され、この孔を通して、筒状部８４から棒状体８８が突き出している。棒状体８８の先端側には、根本側より小径の小径部８８ａが形成される。鍔状部８６に隣接して、たとえばナット部９０が形成され、ナット部９０を回転させることにより、棒状体８８の突き出し量を調整することができる。扉部材２２には、筒状部８４の外径に対応する直径の孔が形成され、この孔に筒状部８４が鍔状部８６部分まで埋め込まれる。
【００４０】
上レール１２および下レール１４の一端側には、ピボット受け金具９２が取り付けられる。ピボット受け金具９２は、図１５に示すように、先端が折れ曲がった板状部９４を含む。板状部９４の折れ曲がった先端側に隣接して、円形の窪み部９６が形成される。窪み部９６は、上部ピボット７４の棒状体８０の小径部８０ａまたは下部ピボット８２の棒状体８８の小径部８８ａが保持される直径となるように形成される。また、板状部９４の窪み部９６と反対側の端部には、ピボット受け金具９２を上レール１２または下レール１４に固定するためのボルト９８ａと固定金具９８ｂとが形成される。
【００４１】
上レール１２および下レール１４の一端側に、ピボット受け金具９２が取り付けられ、その窪み部９６に、上部ピボット７４の棒状体８０の小径部８０ａおよび下部ピボット８２の棒状体８８の小径部８８ａが嵌め込まれて保持される。ここで、下部ピボット８２の棒状体８８の突き出し量を調整することにより、折戸２０の下端と下レール１４との間の間隔を調整することができる。また、上部ピボット７４の棒状体８０はスプリングによって付勢されているため、鍔状部７８とピボット受け金具９２の窪み部９６との間隔に合わせて、棒状体８０の突き出し量が自動的に調整される。上部ピボット７４および下部ピボット８２がピボット受け金具９２に支持されることにより、一方の扉部材２２は、蝶番２６取付け部の反対側において、上レール１２および下レール１４に回動可能に支持される。
【００４２】
また、戸先側の扉部材２４には、蝶番２６取付け部の反対側における上下端部に、図５に示す案内ランナー４０が取り付けられる。そして、案内ランナー４０の棒状体４６の先端の大径部４８が、レール１８の突起部１８ｃの間の開口部に嵌め込まれる。それにより、扉部材２４は、上レール１２および下レール１４に沿ってスライド可能に支持される。このような構成の折戸２０では、一方の扉部材２２が上レール１２と下レール１４の一定位置に回動可能に支持されているため、他方の扉部材２４を開閉することができる。
【００４３】
このような一方の扉部材２２が一定位置に支持される構成としては、下レール１４がない構成を採用することができる。この場合、下部ピボット８２を受けるために、たとえば図１６に示すようなピボット受け金具１００が用いられる。このピボット受け金具１００は、幅方向において断面コ字状に折り曲げられた折り曲げ部材１０２を含む。折り曲げ部材１０２の中央側面には、長手方向に並んで、テーパ状の円形孔１０２ａと、長孔１０２ｂとが形成される。
【００４４】
また、ピボット受け金具１００は、折り曲げ部材１０２の内側に組み合わされる組合せ部材１０４を含む。組合せ部材１０４は、折り曲げ部材１０２の円形孔１０２ａおよび長孔１０２ｂが形成された側面に対応してスライド可能な平面部１０４ａを含む。この平面部１０４ａには、折り曲げ部材１０２の長孔１０２ｂ形成部に対応する位置に雌ネジ部が形成され、この雌ネジ部にボルト１０６が螺入されている。このボルト１０６を締め付けることによって、折り曲げ部材１０２と組合せ部材１０４とが固定される。また、平面部１０４ａの長手方向の両端部はクランク状に形成され、その突出片１０４ｂに貫通孔１０４ｃが形成される。そして、平面部１０４ａの両端側の突出片１０４ｂが折り曲げ部材１０２の両側に突出するようにして、折り曲げ部材１０２と組合せ部材１０４とが組み合わされる。
【００４５】
このピボット受け金具１００が床に取り付けられる。このとき、組合せ部材１０４の両側の突出片１０４ｂに形成された貫通孔１０４ｃにネジなどを挿通することにより、ピボット受け金具１００が床に取り付けられる。そして、ボルト１０６を緩めることにより、折り曲げ部材１０２と組合せ部材１０４とをスライドさせることができ、ピボット受け金具１００の円形孔１０２ａの位置を調整することができる。
【００４６】
このピボット受け金具１００の円形孔１０２ａに、扉部材２２に取り付けられた下部ピボット８２の棒状体８８の小径部８８ａが嵌め込まれる。なお、扉部材２２の上端に取り付けられた上部ピボット７４は、上レール１２に取り付けられたピボット受け金具９２で支持されている。また、蝶番２６取付け部の反対側における戸先側の扉部材２４の端部においては、その上端部にのみ案内ランナー４０が取り付けられ、下端部には案内ランナーは取り付けられない。そして、扉部材２４の上端部の案内ランナー４０の棒状体４６の大径部４８が、レール１８の突起部１８ｃの間の開口部に嵌め込まれて支持される。
【００４７】
これらの吊元側の扉部材２２の端部が一定位置に支持されている折戸２０についても、上レール１２をスライドするスライド部材を用いて、扉部材２２，２４がまっすぐに並んで配置されて閉じた状態を保持する固定具５０を取り付けることができる。このとき、図９と同様に、扉部材２２とスライド部材とが連結部材６４で連結され、連結部材６４の両端の連結部の間の距離ｌ1が、扉部材２２を支持する上部ピボット７４の棒状体８０と連結部材６４の連結部との間の距離ｌ2と等しくなるように設定される。
【００４８】
なお、スライド部材としては、図６に示すような構成のものを用いることができるが、図１８に示すような横車式のスライド部材１１０を用いることもできる。このスライド部材１１０は、基部１１２を有し、基部１１２の上面に２つのホイール１１４が回転可能に取り付けられている。これらのホイール１１４の下面は、略円弧状などのような膨らんだ曲面形状に形成される。さらに、基部１１２の中央部に回動可能に軸部１１６が形成され、この軸部１１６に固定具５０や被固定具６６などが取り付けられる。
【００４９】
このようなスライド部材１１０を用いる場合、たとえば、図１９に示すように、図３に示すレールの突起部１８ｃの一方に、断面コ字状の部分１８ａの底面に向かって突出する突片１８ｄが形成された断面形状を有するレール１８´が上レール１２として用いられる。そして、突片１８ｄ上にホイール１１４の下面が接触するように、スライド部材１１０が嵌め込まれる。このようなスライド部材１１０では、主として突片１８ｄに荷重がかかるため、折戸２０を開閉するときに、レールの突片１８ｄ上でホイール１１４が回転し、スライド部材１１０が上レール１２に沿ってスライド移動することができる。もちろん、このスライド部材１１０は、上レール１２として、図３に示すようなレール１８を用いた場合にも使用することができる。
【００５０】
また、スライド部材としては、図１９（Ａ）（Ｂ）（Ｃ）に示すようなスライド部材１２０を用いることができる。このスライド部材１２０は、その平面形状において中央部が膨らみ、厚み方向の形状においても中央部が膨らんだ曲面を有するスライド板１２２を含む。このスライド板１２２の中央部に、回動可能に軸部１２４が形成されている。このスライド部材１２０は、図３に示されるレール１８や図１９に示されるレール１８´で形成された上レール１２に嵌め込まれる。このスライド部材１２０においては、図３に示すレール１８の突起部１８ｃの端部や、図１９に示すレール１８´の突片１８ｄなどにスライド板１２２の曲面が当接される。そして、折戸２０を開閉するときに、スライド部材１２０がレール内を滑るようにスライド移動する。このとき、スライド板１２２が厚み方向において膨らんだ曲面状に形成されているため、図３に示すレール１８の突起部１８ｃや図１９に示すレール１８´の突片１８ｄとスライド板１２２との接触面積が小さくなり、スライド部材１２０がスライド移動するときの抵抗が小さくなる。なお、このようなスライド部材１２０を用いる場合、ホイールのあるスライド部材に比べて抵抗が大きいため、軸部１２４には、磁性体板などの被固定部６６のような軽いものを取り付けることが好ましい。
【００５１】
このような構成とすることにより、折戸２０が閉じているとき、扉部材２２，２４がまっすぐに並んで配置された状態を保つことができる。そして、扉部材２４を開いたとき、スライド部材が上レール１２をスライドして、固定具５０が吊元側の扉２２に近づいていくため、戸先側の扉部材２４が固定具５０に当たって、折戸２０の開度が制限される恐れがない。
【００５２】
なお、このような折戸２０についても、固定具５０を保持するスライド部材と戸先側の扉部材２４とを連結部材６４で連結してもよい。この場合も、連結部材６４の両端の連結部の間の距離が、戸先側の案内ランナー４０の棒状体４６と扉部材２４への連結部材６４の連結部との間の距離と等しくなるように設定される。それにより、折戸２０を開くとき、固定具５０が戸先側の扉部材２４側に近づきながら、固定具５０と扉部材２４とが共に吊元側の扉部材２２に近づいていく。したがって、扉部材２４が固定具５０に当たらず、折戸２０は十分な開度を得ることができる。
【符号の説明】
【００５３】
１０  折戸の取付け構造
１２  上レール
１４  下レール
２０  折戸
２２  扉部材
２４  扉部材
２６  蝶番
２８  スライド金具
４０  案内ランナー
５０  固定具
５２  スライド部材
６４  連結部材
６６  被固定具
７４  上部ピボット
８２  下部ピボット
９２  ピボット受け金具
１００  ピボット受け金具
１１０  スライド部材
１２０  スライド部材
【図１】
2011089303.tif 000003
【図２】
2011089303.tif 000004
【図３】
2011089303.tif 000005
【図４】
2011089303.tif 000006
【図５】
2011089303.tif 000007
【図６】
2011089303.tif 000008
【図７】
2011089303.tif 000009
【図８】
2011089303.tif 000010
【図９】
2011089303.tif 000011
【図１０】
2011089303.tif 000012
【図１１】
2011089303.tif 000013
【図１２】
2011089303.tif 000014
【図１３】
2011089303.tif 000015
【図１４】
2011089303.tif 000016
【図１５】
2011089303.tif 000017
【図１６】
2011089303.tif 000018
【図１７】
2011089303.tif 000019
【図１８】
2011089303.tif 000020
【図１９】
2011089303.tif 000021
【図２０】
2011089303.tif 000022
【図２１】
2011089303.tif 000023
【図２２】
2011089303.tif 000024
【図２３】
2011089303.tif 000025